(57)【要約】【課題】内部を簡単な構造としながら電池を均一に効率よく冷却する。電気機器に装着する状態で流入口と排出口の両方を閉塞して、塵等の侵入を阻止する。【解決手段】パック電池は、ケース１が、両端に位置する第１の端面壁１１及び第２の端面壁１２と、第１の端面壁１１と第２の端面壁１２を外周部で連結している外周壁１３とを有する。ケース１は、第１の端面壁１１に開口している端開口部１４から第２の端面壁１２に向かって縦方向に伸びる縦ダクト４Ａと、この縦ダクト４Ａに連結されて、端部を外周壁１３の横開口部１５に連結している横ダクト４ＢとからなるＬ字状の空気ダクト４を内部に設けている。パック電池１０は、縦ダクト４Ａと外周壁１３との間に設けた電池収納部５に複数の電池２を縦ダクト４Ａを囲む状態で収納しており、電池収納部５に収納している電池２を、空気ダクト４に送風される空気で冷却する。【選択図】図５
2006128007.tif 000002
【特許請求の範囲】
【請求項１】
ケース(1)に充電できる電池(2)を収納しており、かつケース(1)を電気機器(30)に脱着自在に装着できる形状としているパック電池であって、
ケース(1)は、長手方向の両端に位置する第１の端面壁(11)及び第２の端面壁(12)と、第１の端面壁(11)と第２の端面壁(12)との間にあって第１の端面壁(11)と第２の端面壁(12)を外周部で連結している外周壁(13)とを有し、
さらにケース(1)は、第１の端面壁(11)に開口している端開口部(14)に連結され、かつ内部に第１の端面壁(11)から第２の端面壁(12)に向かって縦方向に伸びる縦ダクト(4A)と、この縦ダクト(4A)に連結されて端部をケース(1)の外周壁(13)に開口している横開口部(15)に連結している横ダクト(4B)とからなるＬ字状の空気ダクト(4)を内部に設けており、
縦ダクト(4A)と外周壁(13)との間に電池収納部(5)を設けて、この電池収納部(5)に縦ダクト(4A)と平行な姿勢で複数の電池(2)を縦ダクト(4A)を囲む状態で収納しており、電池収納部(5)に収納している電池(2)を、空気ダクト(4)に送風される空気で冷却するようにしてなる電気機器に脱着されるパック電池。
【請求項２】
第２の端面壁(12)の内側に回路基板(3)を配置しており、この回路基板(3)よりも内側であって、縦ダクト(4A)と外周壁(13)との間に電池収納部(5)を設けている請求項１に記載されるパック電池。
【請求項３】
第１の端面壁(11)と、横開口部(15)を開口している外周壁(13)の本体嵌合面(13A)を、電気機器(30)に設けている装着面(31)に対向して装着するパック電池であって、パック電池が電気機器(30)に装着される状態で、第１の端面壁(11)の端開口部(14)と、本体嵌合面(13A)の横開口部(15)とを電気機器(30)の装着面(31)で閉塞するようにしてなる請求項１に記載されるパック電池。
【請求項４】
横開口部(15)がケース(1)の長手方向にのびるスリット状である請求項１に記載されるパック電池。
【請求項５】
電池(2)がリチウムイオン二次電池で、回路基板(3)は各々の電池電圧を検出する電圧検出回路を備え、各々の電池(2)は正負の電極を回路基板(3)に接続して、電圧検出回路が各々の電池電圧を検出しながら充放電を制御するようにしている請求項１に記載されるパック電池。
【請求項６】
ケース(1)内に、インナーケース(6)を配設しており、インナーケース(6)の内側に縦ダクト(4A)を設け、インナーケース(6)の外側と外周壁(13)との間に電池(2)を収納している請求項１に記載されるパック電池。
【発明の詳細な説明】
【技術分野】
【０００１】
本発明は、電気機器に脱着できるように装着されるパック電池に関し、とくに電動工具に最適なパック電池に関する。
【背景技術】
【０００２】
電気機器に装着されるパック電池は、短時間で充電して便利に使用できる。充電中は電気機器を使用できず、充電して電気機器に装着してから使用できるからである。充電時間を短縮するために、パック電池の充電電流を大きくすると、パック電池の発熱が増加して温度が高くなる。充電中に電池温度が高くなると、電池の電気特性を低下させると共に、寿命も短くなる。この欠点を解消するために、ケース内に送風して電池を冷却できるパック電池が開発されている（特許文献１及び２参照）。
【特許文献１】特開２００３−１４２０５１号公報
【特許文献２】特開２００４−１５２７６９号公報
【発明の開示】
【発明が解決しようとする課題】
【０００３】
以上の公報に記載されるパック電池は、ケースの上面に、空気の流入口と排出口とを開口している。空気は、流入口からケース内に流れ込んで電池を冷却し、電池を冷却して温度が高くなった空気は、排気口からケースの外部に排気される。これ等の公報に記載されるパック電池は、ケースの上面のひとつの面に、空気の流入口と排出口の両方を開口するので、内蔵する全ての電池を均一に空気で冷却するための構造が複雑になる欠点がある。とくに、ケースに収納している全ての電池を均一に冷却するように空気の流れをコントロールするのが極めて難しく、電池の温度にばらつきが発生する欠点もある。
【０００４】
この欠点は、たとえばケースの一端に空気の流入口を、他端に空気の排出口を開口し、流入口から排出口に向く姿勢で、ケース内に電池を収納して解消できる。このパック電池は、流入口からケース内に流入された空気を、電池の間に流して電池を冷却し、その後、他端の排出口から外部に排気して、電池を均一に効率よく冷却できる。しかしながら、この構造のパック電池は、電気機器に装着する状態で、両端の開口部を閉塞するための構造が複雑になる。電気機器が、パック電池の両端の開口部を閉塞する必要があるからである。パック電池が開口部を閉塞しない状態で電気機器に装着されると、電気機器を使用するときに、開口部から塵や異物が侵入して、電池の冷却効果が低下する欠点がある。とくに、電動工具のように、塵が発生しやすい場所で使用される電気機器は、この弊害が甚だしい。このため、パック電池は充電するときには、流入口と排出口を開口して、電池を冷却するが、電気機器に装着する状態では、流入口と排出口を閉塞して、塵の侵入を阻止する必要がある。とくに、電池は、充電するときの温度が、放電するときの温度よりも高くなる。このため、充電するときは空気で冷却する必要があっても、放電するときは必ずしも冷却する必要はない。したがって、パック電池は、充電するときには、流入口と排出口の両方を開口するが、電気機器に装着する状態では、流入口と排出口の両方を閉塞することが大切である。
【０００５】
また、各々の電池の電圧を検出して、電池電圧で充放電をコントロールするパック電池は、このことを実現する電子回路を実装する回路基板を内蔵している。両端を開口するパック電池は、回路基板を両端に配置すると、開口部の空気を通過させる貫通孔を設けるので、実質的な面積が小さくなる。この欠点を解消するために、回路基板を底面や上面に配置すると、各々の電池電圧を検出するためのリード線の配線が複雑になる。それは、電池と平行に回路基板が配置されるからである。電池と平行な姿勢の回路基板は、各々の電池の電極に接続するリード線が長くなり、また、各々のリード線を分離して配線できないので、内部でショートしやすくなる欠点がある。
【０００６】
本発明は、このような全ての欠点を解決することを目的に開発されたものである。本発明の重要な目的は、内部を簡単な構造としながら電池を均一に効率よく冷却でき、しかも電気機器に装着する状態では２面を閉塞して、流入口と排出口の両方を閉塞して塵等の侵入を阻止でき、さらに、ケースに内蔵する回路基板を大きくしながら、電池と回路基板のと配線を簡単にできるパック電池を提供することにある。
【課題を解決するための手段】
【０００７】
本発明のパック電池は、前述の目的を達成するために以下の構成を備える。
本発明のパック電池は、電気機器３０に脱着されるパック電池であって、ケース１に充電できる電池２を収納しており、かつケース１を電気機器３０に脱着自在に装着できる形状としている。ケース１は、長手方向の両端に位置する第１の端面壁１１及び第２の端面壁１２と、第１の端面壁１１と第２の端面壁１２との間にあって第１の端面壁１１と第２の端面壁１２を外周部で連結している外周壁１３とを有する。さらにケース１は、第１の端面壁１１に開口している端開口部１４に連結され、かつ内部に第１の端面壁１１から第２の端面壁１２に向かって縦方向に伸びる縦ダクト４Ａと、この縦ダクト４Ａに連結されて端部をケース１の外周壁１３に開口している横開口部１５に連結している横ダクト４ＢとからなるＬ字状の空気ダクト４を内部に設けている。パック電池は、縦ダクト４Ａと外周壁１３との間に電池収納部５を設けて、この電池収納部５に縦ダクト４Ａと平行な姿勢で複数の電池２を縦ダクト４Ａを囲む状態で収納しており、電池収納部５に収納している電池２を、空気ダクト４に送風される空気で冷却する。
【０００８】
本発明のパック電池は、ケース１内であって、第２の端面壁１２の内側に回路基板３を配置し、この回路基板３よりも内側であって、縦ダクト４Ａと外周壁１３との間にに電池収納部５を設けて複数の電池２を収納することができる。
【０００９】
本発明のパック電池１０は、第１の端面壁１１と、横開口部１５を開口している外周壁１３の本体嵌合面１３Ａを、電気機器３０に設けている装着面３１に対向して装着することができる。このパック電池１０は、電気機器３０に装着される状態で、第１の端面壁１１の端開口部１４と、本体嵌合面１３Ａの横開口部１５とを電気機器３０の装着面３１で閉塞する。
【００１０】
本発明のパック電池１０は、横開口部１５を、ケース１の長手方向にのびるスリット状とすることができる。さらに、本発明のパック電池１０は、電池２をリチウムイオン二次電池２として、回路基板３に各々の電池電圧を検出する電圧検出回路を備え、各々の電池２の正負の電極を回路基板３に接続して、電圧検出回路で各々の電池電圧を検出しながら充放電を制御することができる。さらに、本発明のパック電池１０は、ケース１内に、インナーケース６を配設して、インナーケース６の内側に縦ダクト４Ａを設け、インナーケース６の外側と外周壁１３との間に電池２を収納することができる。
【発明の効果】
【００１１】
本発明のパック電池は、内部にＬ字状の空気ダクトを設ける簡単な構造で、電池を均一に効率よく冷却できる。また、本発明のパック電池は、Ｌ字状の空気ダクトを設けて、第１の端面壁と外周壁のひとつの面を開口して内部に空気を循環する構造とするので、電気機器に装着される状態では、電気機器の装着面で２面を閉塞して、Ｌ字状の空気ダクトの開口部を閉塞できる。このため、電気機器の装着部を簡単な構造としながら、内部に設けているＬ字状の空気ダクトの開口部を閉塞して、ここに塵や埃が侵入するのを防止できる。
【００１２】
さらに本発明のパック電池は、ケースの内部にＬ字状の空気ダクトを設けて、このＬ字状の空気ダクトと外周壁との間に電池を収納しているので、ケースに収納される電池は、Ｌ字状の空気ダクトと外周壁の両面から効率よく冷却される。また、Ｌ字状の空気ダクトは空気をスムーズに通過させて、ケース内の電池を内側から効率よく冷却する。
【００１３】
本発明の請求項２のパック電池は、電池を効率よく冷却できる構造としながら、ケースに内蔵する回路基板を大きくできる。それは、開口部を設けない第２の端面壁の内側に回路基板を設けているからである。さらに、このパック電池は、各々の電池の電極を回路基板に接続するものにあっては、回路基板と各々の電池の電極との配線を簡単にできる特徴がある。それは、第２の端面壁の内面に回路基板を配設して、縦ダクトと平行な姿勢で電池を収納しているからである。この姿勢でケースに収納される電池は、電池と平行にリード線を配設して、電池の電極を回路基板に接続でき、しかもリード線を電池の境界に配設して、電池電極を回路基板に接続できる。
【発明を実施するための最良の形態】
【００１４】
以下、本発明の実施例を図面に基づいて説明する。ただし、以下に示す実施例は、本発明の技術思想を具体化するためのパック電池を例示するものであって、本発明はパック電池を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１と図２は、本発明の実施例のパック電池１０と、これを装着する電気機器３０を示している。図３はパック電池１０を外した電気機器３０を示している。これ等の図に示すパック電池１０は、装着する電気機器３０をハンマードリルやドリル等の電動工具としている。ただし、本発明のパック電池は、ハンマードリルやドリル以外の電動工具の電源として使用でき、また、電動工具以外の電気機器の電源にも使用できる。
【００１７】
パック電池１０は、電気機器３０に設けているＬ字状の装着面３１に連結される。図の電気機器３０は、本体３２に連結しているグリップ３３の下端に連結している水平装着面３１Ａと、この水平装着面３１Ａの一端に直角に連結している垂直装着面３１Ｂとを有し、水平装着面３１Ａと垂直装着面３１Ｂとにパック電池１０が連結される。図の電気機器３０は、水平装着面３１Ａに、パック電池１０の出力端子９を接続する接続端子３４を設けている。また、水平装着面３１Ａは、パック電池１０を連結する連結溝３５を設けている。連結溝３５は、水平装着面３１Ａの両側に長手方向に伸びて設けられる。垂直装着面３１Ｂは平面状で、ここに装着されるパック電池１０の第１の端面壁１１に設けている端開口部１４を閉塞する。パック電池１０の外周壁１３の本体嵌合面１３Ａに設けている横ダクト４Ｂは、水平装着面３１Ａで閉塞される。
【００１８】
図４ないし図７に示すパック電池１０は、ケース１に充電できる電池２を収納しており、ケース１を電気機器３０に脱着できる形状としている。図のパック電池１０は、ケース１と、これに収納している電池２と、ケース１に収納している回路基板３とを備える。
【００１９】
ケース１はプラスチック製で、長手方向の両端に位置する第１の端面壁１１及び第２の端面壁１２と、第１の端面壁１１と第２の端面壁１２との間にあって第１の端面壁１１と第２の端面壁１２を外周部で連結している外周壁１３とを有する形状に成形している。ケース１は、図５の断面図に示すように、内部にＬ字状の空気ダクト４を設けている。この空気ダクト４は、縦ダクト４Ａに横ダクト４Ｂを連結してＬ字状としている。縦ダクト４Ａは、第１の端面壁１１に開口している端開口部１４に一端を連結して、他端をケース１内部で閉塞している。この縦ダクト４Ａは、ケース１内部のほぼ中央にあって、第１の端面壁１１の端開口部１４から第２の端面壁１２に向かって縦方向に伸びている。縦ダクト４Ａの周囲に電池収納部５を設けている。図５と図６に示すパック電池１０は、縦ダクト４Ａの周囲の電池収納部５に、２本を直列に接続している電池２を１０列に収納している。
【００２０】
横ダクト４Ｂは、縦ダクト４Ａの中間に一端を連結して、他端を外周壁１３の本体嵌合面１３Ａに開口する横開口部１５に連結している。本体嵌合面１３Ａは、外周壁１３のひとつの面、あるいは外周壁の一部分であって、電気機器３０の装着面３１に装着される面である。図のパック電池１０は、横ダクト４Ｂを縦ダクト４Ａの中間に連結しているが、横ダクトを縦ダクトの更に奥に連結することもできる。横ダクト４Ｂの開口部である横開口部１５は、電気機器３０に装着する状態で水平装着面３１Ａに閉塞される。図のパック電池１０は、ケース１の上面を本体嵌合面１３Ａとしており、この本体嵌合面１３Ａを電気機器３０の水平装着面３１Ａに装着するので、横開口部１５をケース１の上面に設けている。なお、本明細書において、パック電池の上下方向は、パック電池１０を電気機器３０に装着する状態での上下方向、すなわち図１、図２、及び図４ないし図６における上下方向を意味するものとする。
【００２１】
縦ダクト４Ａは、その上方と両側と下方に電池２を配設している。したがって、縦ダクト４Ａは、上と下に電池２を配設できる幅を有し、かつ両側にも電池２を配置できる高さを有する。縦ダクト４Ａは、上方に横ダクト４Ｂを連結しているので、縦ダクト４Ａの上に配設される電池２は、横ダクト４Ｂの両側に配設している。図のパック電池１０は、縦ダクト４Ａの上方に４列、両側に２列、下方に２列の電池２を配列して、全体で電池２を１０列に配列している。図のパック電池１０は、全体で１０列の電池２を収納しているが、本発明のパック電池は、ケースに９列以下の電池を収納し、あるいは１１列以上の電池を収納することもできる。
【００２２】
縦ダクト４Ａは、ケース１に収納する電池２を内側から冷却する。したがって、ケース１に収納する電池２は、その内側を縦ダクト４Ａに接触させている。また、電池２の外側はケース１で冷却するので、電池２は外側をケース１の外周壁１３の内面に接触させている。図のケース１は、縦ダクト４Ａと電池２との接触面積を広くするために、ケース１内にプラスチックを筒状に成形しているインナーケース６を配設している。
【００２３】
インナーケース６の斜視図を図８に示している。この図のインナーケース６は、内面を縦ダクト４Ａの外側面に接触する形状の筒状に成形し、外側には、電池２の谷間に突出するスペーサー凸条７を一体的に成形して設けている。図のインナーケース６は、全ての電池２の谷間に突出してスペーサー凸条を設けないで、２列の電池２の間にスペーサー凸条７を設けている。すなわち、縦ダクト４Ａの上方と側部の電池２の間と、側部と底部の電池２の間とにスペーサー凸条７を設けている。スペーサー凸条７は、円筒型電池２の表面に沿う形状に成形されて、電池２との接触面積を広くしている。インナーケースは、図示しないが、全ての電池の谷間に突出するようにスペーサー凸条を設けて、電池と縦ダクトとの接触面積を大きくすることもできる。インナーケース６は、横ダクト４Ｂを開口するために、横ダクト４Ｂを案内する部分を開口している。
【００２４】
図のケース１は、本体ケース１Ａと蓋ケース１Ｂとからなり、本体ケース１Ａに縦ダクト４Ａを一体的に成形している。本体ケース１Ａは、第１の端面壁１１と外周壁１３と縦ダクト４Ａを一体的に成形して、第２の端面壁１２で閉塞される端面を開口している。蓋ケース１Ｂは、第２の端面壁１２を一体的に成形して、本体ケース１Ａの開口部に連結されて、ここを閉塞する。この構造のケース１は、蓋ケース１Ｂを外した状態で、本体ケース１Ａにインナーケース６を入れて定位置にセットし、インナーケース６と一緒に、電池２と電池２に接続している回路基板３とを本体ケース１Ａに収納し、その後、蓋ケース１Ｂで本体ケース１Ａの開口部を閉塞して組み立てられる。
【００２５】
ケース１は、外周壁１３の本体嵌合面１３Ａに、電気機器３０の水平装着面３１Ａの連結溝３５に連結する連結凸条８を一体的に成形して設けている。図の連結凸条８は、上端に沿って外側に折曲された係止部８Ａを設けている。この連結凸条８は、係止部８Ａを連結溝３５に係止して、電気機器３０の水平装着面３１Ａに連結される。パック電池１０は、電気機器３０の定位置に装着されて、ストッパ（図示せず）でこの位置に外れないように連結される。ストッパを解除して、パック電池１０は電気機器３０から外される。さらに、図のケース１は、本体嵌合面１３Ａに出力端子９を設けている。この出力端子９は、パック電池１０が電気機器３０の定位置に装着される状態で、電気機器３０の水平装着面３１Ａに設けている接続端子３４に接続される。
【００２６】
図のパック電池１０は、２本の電池２を直線状に直列接続して、電池収納部５に収納している。全ての電池２は、リード線１６を介して電極を回路基板３に接続している。図９は、電池２を回路基板３に接続する概略図である。ただし、この図は、理解しやすいように、縦ダクト４Ａの周囲に配列している電池２を展開した状態として図示している。この図に示す回路構成のパック電池１０は、２本の電池２を並列に接続して、並列接続された１０組の電池２を直列に接続している。回路基板３は、図５に示すように、ケース１の第２の端面壁１２の内面に配設され、電池２は回路基板３に対して直交する姿勢で配設している。
【００２７】
２０本の電池２は、中間接続金具１７と端接続金具１８とで接続している。中間接続金具１７と端接続金具１８は、４本の電池２の電極に接続されて、２本の電池２を並列に接続したものを直列に接続している。中間接続金具１７は、図９において、横隣の電池２を並列に接続して、上下の電池２を直列に接続している。端接続金具１８は、横４列に並ぶ電池２の電極に接続されて、横２列の電池２を並列に接続しながら、並列に接続した電池２を直列に接続している。
【００２８】
電池２は、リチウムイオン二次電池である。回路基板３は、全ての電池電圧を検出する電圧検出回路を実装する。この電圧検出回路は、全ての電池電圧を検出して、充放電の電流をコントロールする。この電圧検出回路は、たとえば、いずれかの電池電圧が最高電圧まで上昇すると充電電流を遮断し、またいずれかの電池電圧が最低電圧まで低下すると放電電流を遮断する。
【００２９】
全ての電池電圧を検出するために、全ての中間接続金具１７と端接続金具１８は、リード線１６を介して回路基板３に接続される。リード線１６は電池２の谷間に配設されて、中間接続金具１７と端接続金具１８を回路基板３に接続する。電池２の谷間に配設されるリード線１６は、互いに接触してショートすることがなく、また接続していない中間接続金具１７や端接続金具１８に接触してショートすることがない。
【００３０】
回路基板３は、ホルダーケース１９を介して第２の端面壁１２の内面の定位置に配置している。ホルダーケース１９は、図５に示すように、電池２と回路基板３との間に配設している。さらに、図５に示すホルダーケース１９は、回路基板３を定位置に位置決めするための位置決リブ１９Ａを一体的に成形して設けている。
【００３１】
以上の構造のパック電池は、以下のようにして組み立てられる。
(1)  ４本の電池２を中間接続金具１７で連結して電池ブロック２０とする。４本の電池２は、２本を同じ向きに平行に並べると共に、平行に並べた２本の電池２を中間接続金具１７で直線状に直列に接続する。すなわち、４本の電池２は、並列接続された２本の電池２を直列に接続して電池ブロック２０とする。中間接続金具１７は、たとえば、抵抗溶接して、電池２の電極に接続される。２０本の電池２は、４本ずつが中間接続金具１７で連結されて、５組の電池ブロック２０となる。
【００３２】
(2)  ５組の電池ブロック２０をインナーケース６の周囲に配置する。５組の電池ブロック２０は、図６に示すように、インナーケース６の外周に沿って、上方に２組、両側に２組、下側に１組が配置される。このとき、隣接する電池ブロック２０の間の谷間に、スペーサー凸条７が位置するように配置する。インナーケース６の周囲に配置された５組の電池ブロック２０は、外周に接着テープが巻き付けられて、あるいは、接着してインナーケース６に固定される。
【００３３】
(3)  インナーケース６の周囲に配置された５組の電池ブロック２０の互いに隣接する電池ブロック２０同士を端接続金具１８で接続する。端接続金具１８は、隣接する４本の電池２の電極に接続されて、互いに隣接する電池ブロック２０を直列に接続する。端接続金具１８も、たとえば、抵抗溶接して、電池２の電極に接続される。
【００３４】
(4)  電池ブロック２０が固定されたインナーケース６の第２の端面壁１２側の端面にホルダーケース１９を配設し、このホルダーケース１９に回路基板３を配設する。
(5)  電池２を接続している中間接続金具１７と端接続金具１８を、リード線１６を介して回路基板３に接続する。回路基板３に接続するリード線１６は、電池２の谷間に配設する。
【００３５】
(6)  周囲に電池２が配設されて、端面に回路基板３が配設されたインナーケース６を本体ケース１Ａに挿入する。このとき、インナーケース６は、内側に縦ダクト４Ａの外側面を嵌入する状態で挿入されて定位置にセットされる。この状態で、インナーケース６の周囲に配設された２０本の電池２は、縦ダクト４Ａと外周壁１３との間に形成される電池収納部５の定位置に配置される。
(7)  本体ケース１Ａの開口部に蓋ケース１Ｂを連結して閉塞する。
【００３６】
以上のようにして組み立てられたパック電池１０は、図１と図２に示すように、電気機器３０の装着面３１に装着されて、電気機器３０の電源として使用される。電気機器３０に装着されたパック電池１０は、内蔵する電池２を放電させて電気機器３０に電力を供給する。内蔵する電池２が放電されたパック電池１０は、充電器で充電される。
【００３７】
図１０は、パック電池１０を充電器４０で充電する概略図を示している。図に示す充電器４０は、パック電池１０を装着する装着面４１を上面に備えている。充電器は、図示しないが、パック電池の出力端子を接続する電源端子とパック電池の連結凸条を連結する連結溝とを装着面に設けている。この充電器４０は、横開口部１５を開口している本体嵌合面１３Ａを装着面４１に対向させる姿勢でパック電池１０を装着する。ただ、充電器は、装着面を垂直面とし、あるいは、傾斜面とすることもできる。
【００３８】
さらに、充電器４０は、パック電池１０の空気ダクト４に空気を送風するために、送風路４２を設けている。図の充電器４０は、装着面４１から底面に貫通する貫通孔を設けて送風路４２としている。この送風路４２は、装着面４１に装着されるパック電池１０の横開口部１５と対向する位置に送風開口４３を開口している。さらに、図の充電器４０は、パック電池１０の空気ダクト４に強制送風するために、送風路４２にファン４４を配設している。この構造の充電器４０は、パック電池１０を装着して充電する状態で、ファン４４を動作させて空気ダクト４に強制送風し、強制送風される空気で電池２を冷却する。図に示すファン４４は、空気ダクト４から送風路４２に向かって空気を送風するようにしているが、ファンは、送風路から空気ダクトに向かって送風することもできる。さらに、充電器は、必ずしもファンを設ける必要はなく、自然対流で空気ダクトに空気を通過させて電池を冷却することもできる。
【図面の簡単な説明】
【００３９】
【図１】本発明の一実施例にかかるパック電池を電気機器に装着する状態を示す分解斜視図である。
【図２】本発明の一実施例にかかるパック電池を電気機器に装着した状態を示す背面斜視図である。
【図３】パック電池を外した電気機器を示す背面斜視図である。
【図４】本発明の一実施例にかかるパック電池の斜視図である。
【図５】図４に示すパック電池の垂直断面図である。
【図６】図５に示すパック電池のＡ−Ａ線断面図である。
【図７】図４に示すパック電池の本体ケースの斜視図である。
【図８】インナーケースの斜視図である。
【図９】電池を回路基板に接続する状態を示す概略展開図である。
【図１０】本発明の一実施例にかかるパック電池を充電器で充電する一例を示す概略断面図である。
【符号の説明】
【００４０】
１…ケース              １Ａ…本体ケース        １Ｂ…蓋ケース
２…電池
３…回路基板
４…空気ダクト          ４Ａ…縦ダクト          ４Ｂ…横ダクト
５…電池収納部
６…インナーケース
７…スペーサー凸条
８…連結凸条            ８Ａ…係止部
９…出力端子
１０…パック電池
１１…第１の端面壁
１２…第２の端面壁
１３…外周壁            １３Ａ…本体嵌合面
１４…端開口部
１５…横開口部
１６…リード線
１７…中間接続金具
１８…端接続金具
１９…ホルダーケース    １９Ａ…位置決リブ
２０…電池ブロック
３０…電気機器
３１…装着面            ３１Ａ…水平装着面      ３１Ｂ…垂直装着面
３２…本体
３３…グリップ
３４…接続端子
３５…連結溝
４０…充電器
４１…装着面
４２…送風路
４３…送風開口
４４…ファン
【図１】
2006128007.tif 000003
【図２】
2006128007.tif 000004
【図３】
2006128007.tif 000005
【図４】
2006128007.tif 000006
【図５】
2006128007.tif 000007
【図６】
2006128007.tif 000008
【図７】
2006128007.tif 000009
【図８】
2006128007.tif 000010
【図９】
2006128007.tif 000011
【図１０】
2006128007.tif 000012